(57)【特許請求の範囲】
【請求項１】
ワイヤレスアクセスネットワーク上で送信されたデータのためのタイミング基準を備える順方向リンク信号を受信するように構成された受信機と、
前記順方向リンク信号と同じ周波数帯域の開催地キャストコンテンツを備えるデータ信号を送信するように構成された送信機と、
前記送信機と前記受信機とに結合され、前記タイミング基準に基づいて前記順方向リンク信号の少なくとも１つの空けられたタイムスロットを検出し、前記少なくとも１つの空けられたタイムスロットによって定義された間隔の間に前記データ信号を出力するように構成されたプロセッサと、
を備える、開催地キャスト送信機。
【請求項２】
前記送信されるデータ信号の電力レベルを制御するように構成されたＲＦ増幅器をさらに備え、前記プロセッサは、前記順方向リンク信号の電力レベルに関連して前記電力レベルを決定するように構成される、
請求項１に記載の開催地キャスト送信機。
【請求項３】
前記開催地キャストコンテンツを受信するように構成されたデータインターフェースをさらに備え、前記プロセッサは、前記開催地キャストコンテンツを前記データ信号に追加するよう構成される、
請求項１に記載の開催地キャスト送信機。
【請求項４】
前記ワイヤレスアクセスネットワークとデータ通信できるように構成された制御インターフェースをさらに備え、前記プロセッサは、前記制御インターフェースを介してワイヤレスアクセスネットワークにリソース予約要求を送るよう構成される、
請求項１に記載の開催地キャスト送信機。
【請求項５】
前記制御インターフェースは、前記リソース予約要求に対する応答を受信するように構成され、前記応答は、少なくとも１つの空けられたタイムスロットの識別子を含む、
請求項４に記載の開催地キャスト送信機。
【請求項６】
前記プロセッサは、前記制御インターフェースを介してワイヤレスアクセスネットワークにローカライズされたコンテンツに対応する制御情報を送るように構成される、
請求項４に記載の開催地キャスト送信機。
【請求項７】
前記制御情報は、前記データ信号の有効性および量をシグナリングし、前記データ信号を変調するための情報を備える、
請求項６に記載の開催地キャスト送信機。
【請求項８】
前記タイミング基準は、複数のタイムスロットを定義し、前記順方向リンク信号は、前記複数のタイムスロットのうちの少なくともいくつかにユニキャストデータを備える、
請求項１に記載の開催地キャスト送信機。
【請求項９】
前記データ信号は、専用パイロットを備える、
請求項１に記載の開催地キャスト送信機。
【請求項１０】
前記送信されたデータ信号は、直交周波数分割多重（ＯＦＤＭ）信号である、
請求項１に記載の開催地キャスト送信機。
【請求項１１】
前記ワイヤレスアクセスネットワークは、モバイルテレビジョンネットワークおよびセルラモバイルネットワークの少なくとも１つを備える、
請求項１に記載の開催地キャスト送信機。
【請求項１２】
前記順方向リンク信号は、前記開催地キャスト送信機と同一の場所に配置されたワイドエリアネットワークリピータから受信される、
請求項１に記載の開催地キャスト送信機。
【請求項１３】
ワイドエリアネットワークのカバレージエリア内のローカル送信機との開催地キャストコンテンツを提供する方法であって、前記方法は、ローカル送信機ＡＰが実行し、
前記ローカル送信機の第１のインターフェースで開催地キャストコンテンツを受信することと、
前記ローカル送信機の第２のインターフェースで前記ワイドエリアネットワークの順方向リンク信号を受信することと、
前記順方向リンク信号内の、前記ワイドエリアネットワーク上で送信されたデータのためのタイミング基準を検出することと、
前記タイミング基準に基づいて順方向リンク信号と同じ周波数帯域で開催地キャストコンテンツを備える第２の信号を送信することと、
を備える、方法。
【請求項１４】
前記ワイヤレスアクセスネットワークの順方向リンクでデータ送信のために利用可能な複数のタイムスロットを識別することと、
前記利用可能なタイムスロットに対応する間隔の間に送信するための前記開催地キャストコンテンツを予約することと、
をさらに備える、請求項１３に記載の方法。
【請求項１５】
前記順方向リンク信号の電力レベルに基づいて前記第２の信号の電力レベルを調節することをさらに備える、
請求項１３に記載の方法。
【請求項１６】
前記ワイヤレスアクセスネットワークから前記順方向リンク信号にタイムスロットの予約を要求することと、
前記順方向リンク信号の空けられたタイムスロットに対応するワイヤレスアクセスネットワークから識別子を受信することと、
前記空けられたタイムスロットの間で前記第２の信号を送信することと、
をさらに備える請求項１３に記載の方法。
【請求項１７】
前記ワイヤレスアクセスネットワークに前記第２の信号の変調および前記開催地キャストコンテンツに関する情報を送ることをさらに備える、
請求項１３に記載の方法。
【請求項１８】
前記ワイヤレスアクセスネットワークは、モバイルテレビジョンネットワークおよびセルラモバイルネットワークの少なくとも１つを備える、
請求項１３に記載の方法。
【請求項１９】
ワイヤレスアクセスネットワークの順方向リンク信号を複製するように構成されたリピータと、
前記リピータから前記順方向リンク信号を受信し、前記ワイヤレスアクセスネットワーク上で送信されたタイミング基準を検出するように構成された受信機と、
前記順方向リンク信号と同じ周波数帯域でローカライズされたコンテンツを含むデータ信号を送信するように構成された送信機と、
前記タイミング基準に基づいて前記受信した順方向リンク信号の少なくとも１つの空けられたタイムスロットを検出し、前記少なくとも１つの空けられたタイムスロットと同一空間を占める前記データ信号を出力するように構成されたプロセッサと、
を備える、ローカライズされたコンテンツ送信システム。
【請求項２０】
前記ワイヤレスアクセスネットワークは、モバイルテレビジョンネットワークおよびセルラモバイルネットワークの少なくとも１つを備える、
請求項１９に記載のシステム。
【請求項２１】
前記送信機は、直交周波数分割多重（ＯＦＤＭ）送信機であり、前記データ信号は、少なくとも１つの専用パイロットを備える、
請求項１９に記載のシステム。
【請求項２２】
前記送信機は、電力増幅器を備え、前記送信データ信号の電力レベルは、前記リピータからの前記順方向リンク信号の電力レベルに基づく、
請求項１９に記載のシステム。
【請求項２３】
前記送信機は、前記ワイヤレスアクセスネットワークとデータ通信できるように構成された制御インターフェースを備える、
請求項１９に記載のシステム。
【請求項２４】
前記送信機は、前記制御インターフェースを介して前記ワイヤレスアクセスネットワークにリソース予約要求を送るように構成される、
請求項２３に記載のシステム。
【請求項２５】
前記送信機は、１つまたは複数のリソースから前記ローカライズされたコンテンツを受信するように構成されるデータインターフェースを備える、
請求項１９に記載のシステム。
【請求項２６】
ワイヤレスアクセスネットワークの順方向リンク信号を受信するための手段と、
前記順方向リンク信号をリピートするための手段と、
前記リピートされた信号内に、前記ワイヤレスアクセスネットワーク上の送信されたデータのためのタイミング基準を検出するための手段と、
前記タイミング基準に基づいて前記順方向リンク信号の空けられたタイムスロットの到来を決定するための手段と、
前記タイミング基準に基づいて前記ワイヤレスアクセスネットワークの前記順方向リンク信号と同じ周波数帯域でローカライズされたコンテンツを備える第２の信号を送信するための手段と、
を備える、開催地キャストシステム。
【請求項２７】
前記リピートされた信号の電力レベルに基づいて前記送信されたデータ信号の電力レベルを調整するための手段をさらに備える、
請求項２６に記載の開催地キャストシステム。
【請求項２８】
１つまたは複数のソースから前記ローカライズされたコンテンツを受信するための手段と、
前記第２の信号に前記ローカライズされたコンテンツを加えるための手段と、
をさらに備える、請求項２６に記載の開催地キャストシステム。
【請求項２９】
前記ワイヤレスアクセスネットワークにリソース予約要求を送るための手段、をさらに備える、
請求項２６に記載の開催地キャストシステム。
【請求項３０】
前記リソース予約要求に対する前記アクセスネットワークからの応答を受信するための手段をさらに備える、
請求項２９に記載の開催地キャストシステム。
【請求項３１】
前記ワイヤレスアクセスネットワークからの前記応答に基づいて前記第２の信号の送信をスケジュールするための手段をさらに備える、
請求項３０に記載の開催地キャストシステム。
【請求項３２】
前記ワイヤレスアクセスネットワークは、モバイルテレビジョンネットワークおよびセルラモバイルネットワークの少なくとも１つを備える、
請求項２６に記載のシステム。
【請求項３３】
ローカル送信機の１つまたは複数のプロセッサに、
前記ローカル送信機でワイドエリアネットワークの順方向リンク信号を受信することと、
前記ワイドエリアネットワーク上で送信されたデータの前記順方向リンク信号のタイミング基準を検出することと、
前記タイミング基準に基づいて前記順方向リンク信号の少なくとも１つの空けられたタイムスロットを検出することと、
前記少なくとも１つの空けられたタイムスロットと同一空間を占める、前記順方向リンク信号と同じ周波数帯域に開催地キャストコンテンツを備える第２の信号を送信することと、
を備える、ステップを実行させるその上に符号化された１つまたは複数のプログラム命令のシーケンスを有するコンピュータ可読媒体。
【発明の詳細な説明】
【関連出願】
【０００１】
本出願は、２００８年１０月１日に出願された「METHOD AND APPARATUS FOR PLUG-AND-PLAY VENUE-CAST CO-CHANNEL WITH WIDE-AREA NETWORK」と題する米国仮特許出願第６１／１０１，９４７号の利益を主張する。前述の出願の全体は、参照により本明細書に組み込まれる。
【技術分野】
【０００２】
本開示は、一般に、通信システムに関し、より詳細には、ワイドエリアネットワーク内でのコンテンツ配信に関する。
【背景技術】
【０００３】
モバイルブロードキャストは、消費者に魅力的なサービスを提供する技法である。いくつかの重要アプリケーションは、クリップキャストを介しての、モバイルテレビジョン、モバイルアドバタイズメント、およびメディア配布（media distribution）を含む。モバイルブロードキャストサービスにアクセスできるモバイルデバイスは、現在、広く利用可能である。
【０００４】
特定の地理的なエリア内のモバイルブロードキャストサービスの有効性は、ネットワークオペレータによって決定される。ある場合には、加入者ネットワークは、モバイルブロードキャストサービスの全範囲をサポートするために再構成または技術アップグレードを要求し得る。他の場合では、モバイルサービスブロードキャストは、必ずしもすべてのユーザのニーズを満たさない、制限された選択で利用可能となり得る。
【０００５】
ますます、開催地特有のコンテンツのための需要がある。例えば、スタジアム内に着席しながらＮＡＳＣＡＲレーストラックの異なるコーナーからの生放送を受信することは魅力的となり得る。同様に、商取引は、セールまたは他の特別なイベントをするそれらの店の周辺内の潜在顧客に対して注意喚起したいと望み得る。したがって、位置特有のコンテンツの配信を容易にすることが望まれている。
【発明の概要】
【０００６】
ワイヤレスアクセスネットワーク内の開催地キャスト（venue-cast）サービスのためのシステム、方法、および装置が開示される。ローカル送信機は、開催地キャスト送信のためのワイヤレスアクセスネットワーク上のエアリンクリソースの予約を要求する。ローカル送信機は、例えば、ＥＶ−ＤＯネットワークまたはＦＬＯに基づいたメディア配布システムの順方向リンク信号のような、ワイヤレスアクセスネットワーク上で送信されるデータのためのタイミング基準で順方向リンク信号を受信することができる。タイミング基準に基づいて、ローカル送信機は、予約されたエアリンクリソースを利用する順方向リンク信号と同じ周波数帯域の開催地キャスト情報を送信することができる。オプションとして、開催地キャストシステムは、配列されたネットワークリピータを含み、ローカル送信機は、ワイヤレスアクセスネットワークで干渉を最小にするためにリピータからの順方向リンク信号へのその同期および送信電力を同期することができる。
【０００７】
１つの実施形態では、開催地キャスト送信機が開示される。開催地キャスト送信機は、ワイヤレスアクセスネットワークの順方向リンク信号を受信するように構成された受信機を含む。順方向リンク信号は、ワイヤレスアクセスネットワーク上で送信されたデータのためのタイミング基準を含む。開催地キャスト送信機は、さらに、順方向リンク信号と同じ周波数帯域の開催地キャストコンテンツを備えるデータ信号を送信するように構成された送信機を含む。プロセッサは、受信機と送信機とに結合される。プロセッサは、タイミング基準に基づいて順方向リンク信号の少なくとも１つの空けられたタイムスロットを検出し、少なくとも１つの空けられたタイムスロットによって定義される間隔の間にデータ信号を出力するように構成される。
【０００８】
１つの実施形態では、ワイドエリアネットワークのカバレージエリア内のローカル送信機での開催地キャストコンテンツを供給する方法が開示される。方法は、ローカル送信機の第１のインターフェースで開催地キャストコンテンツを受信することと、ローカル送信機の第２のインターフェースでワイヤレスアクセスネットワークの順方向リンク信号を受信することと、を含む。方法は、さらに、ワイヤレスアクセスネットワーク上で送信されたデータのためのタイミング基準を、順方向リンク内で検出することと、開催地キャストコンテンツを備える第２の信号を送信することと、を含む。第２の信号は、タイミング基準に基づき、順方向リンク信号と同じ周波数帯域で送信される。
【０００９】
別の実施形態では、ローカライズされたコンテンツ送信システムが開示される。システムは、ワイヤレスアクセスネットワークの順方向リンク信号を複製するように構成されたリピータと、リピータから順方向リンク信号を受信するように構成された受信機と、を含む。受信機は、受信信号のワイヤレスアクセスネットワーク上で送信されたデータのためのタイミング基準を検出するように構成される。システムは、順方向リンク信号と同じ周波数帯域のローカライズされたコンテンツを含むデータ信号を送信するように構成された送信機を含む。システムは、さらに、タイミング基準に基づいて受信した順方向リンク信号の少なくとも１つの空けられたタイムスロットを検出し、少なくとも１つの空けられたタイムスロットと同一の空間を占めるデータ信号を出力するように構成されたプロセッサを含む。
【００１０】
また別の実施形態では、開催地キャストシステムが開示される。システムは、ワイヤレスアクセスネットワークの順方向リンク信号を受信するための手段と、順方向リンク信号をリピートするための手段と、を含む。システムは、リピートされた信号中のワイヤレスアクセスネットワーク上で送信されたデータのためのタイミング基準を検出するための手段と、タイミング基準に基づいて順方向リンク信号中の空けられたタイムスロットの到達を決定するための手段と、を含む。システムは、タイミング基準に基づいてワイヤレスアクセスネットワークの順方向リンク信号と同じ周波数帯域のローカライズされたコンテンツを備える第２の信号を送信するための手段を含む。
【００１１】
さらなる実施形態では、その上に符号化された、１つまたは複数のプログラム命令のシーケンスを有するコンピュータ可読媒体可読媒体が開示される。プログラム命令は、ローカル送信機の１つまたは複数のプロセッサに、ローカル送信機でワイヤレスアクセスネットワークの順方向リンク信号を受信し、ワイヤレスアクセスネットワーク上で送信されたデータのための順方向リンク信号のタイミング基準を検出するステップを実行させる。ステップは、さらに、タイミング基準に基づいて少なくとも１つの空けられたタイムスロットを検出し、少なくとも１つの空けられたスロットと同一の空間を占める順方向リンク信号と同じ周波数帯域の開催地キャストコンテンツを備える第２の信号を送信することを含む。
【００１２】
発明のさらなる態様は、以下の詳細な説明に基づきおよび添付の図面を参照して明らかになる。
【図面の簡単な説明】
【００１３】
【図１】開催地キャストシステムの実施形態のブロック図である。
【図２】開催地キャストシステム内の同一チャネルシグナリングの態様を示す。
【図３】開催地キャストシステム内のエアリンクリソースを供給する態様を示す。
【図４】ワイドエリアネットワークリピータを有する開催地キャストシステムのブロック図である。
【図５Ａ】ローカル送信機の実施形態のブロック図である。
【図５Ｂ】ローカル送信機の実施形態のブロック図である。
【図６】モバイルテレビジョンシステムで使用される開催地キャストシステムを示す。
【図７】モバイルテレビジョンシステムでの開催地キャストオペレーションの態様を示す。
【図８】モバイルテレビジョンシステムでの開催地キャストオペレーションのさらなる態様を示す。
【図９】開催地キャストプロセスの１つの実施形態のフローチャートである。
【発明を実施するための形態】
【００１４】
図１は、本発明の実施形態に従う開催地キャストシステム１００を示す。ここに使用されるように、「開催地キャスト（venue-cast）」は、１つまたは複数のアクセス端末へのローカライズされたコンテンツの配信を表わす。ローカライズされたコンテンツは、スポーツ開催地でのイベント報道のような位置特有のプログラミングを含み得る。コンテンツは、さらに、より大きな通信システムの一部の制限された地理的領域内でのみ配布することを意図するという意味でローカライズされ得る。
【００１５】
基地局ＢＴＳは、カバレージエリアＣ１に関して示される。基地局ＢＴＳは、携帯電話、最適化されたデータ、または他のマクロ通信ネットワークのようなワイヤレスアクセスネットワークの一部となることができる。例えば、基地局ＢＴＳは、カバレージエリアＣ１のためのサービング基地局になり得る。一般に、基地局ＢＴＳは、順方向リンクチャネルでそのカバレージエリアＣ１の内の加入者端末に情報を送り、逆方向リンクチャネルで加入者端末から情報を受信する。例示的な実施形態では、ワイヤレスアクセスネットワークは、ＣＤＭＡ２０００  ＥＶ−ＤＯネットワークであり、基地局ＢＴＳは、そのカバレージエリアＣ１内の加入者端末へのユニキャストサービスとマルチキャストサービスとの両方をサポートする。ＣＤＭＡ２０００は、一般に、ＩＭＴ−２０００を含むワイヤレスエアインターフェース基準のファミリを指す。さらに、ここに使用されるように、ＥＶ−ＤＯは、その改正および関連する標準とともにＴＩＡ−８５６（電気通信産業協会（Telecommunications Industry Association））を広く包含するよう意図される。
【００１６】
加入者端末ＡＴ（同様に「アクセス端末」）は、ワイヤレス通信を受信することができる任意のデバイスであることができる。これらは、携帯電話、スマートフォン、携帯情報端末、ノートブック、ネットブック、および類似のデバイスを含み得る。１つの実施形態では、アクセス端末ＡＴは、ＯＦＤＭ（直交周波数多重）波形を受信し復調することができる。例えば、アクセス端末ＡＴは、Ｐｌａｔｉｎｕｍ  ＢＣＭＣＳ（Broadcast-Multicast Service）としても知られるＯＦＤＭ順方向リンク波形およびＥＶ−ＤＯ  ＴＤＭ（時分割多重化）順方向リンク波形を受信し復調するように構成され得る。
【００１７】
示されるように、カバレージエリアＣ１は、開催地キャストサービスが提供される複数の開催地Ｖを含む。例えば、開催地Ｖ１は、ブルペンエリア、バッターボックス、ダグアウトのストリーミングオーディオ／ビデオカバレージが利用可能な野球場を表わすことができる。開催地Ｖ２は、買い物客に開催地キャストを通じてセール、割引、およびモールに基づいた他のサービスを知らせるショッピングモールを表わすことができる。開催地Ｖ３は、現在利用可能なイベントプログラムや次のアトラクションをプロモートする大学のキャンパスであることができる。
【００１８】
開催地内で、開催地キャストは、基地局ＢＴＳからの順方向リンク信号と同じ動作周波数（または周波数帯域）で１つまたは複数のローカル送信機ＡＰによって提供される。ローカル送信機ＡＰは、順方向リンク信号のタイミング基準を検出しタイミング基準に基づいて開催地キャストコンテンツを送信するように構成することができる。従って、開催地キャスト送信は、異なる周波数上の近接したチャネル送信であることとは対照的にＢＴＳ信号と同一チャネルである。これは、同じ周波数帯域の、開催地Ｖ１でのアクセス端末ＡＴ１がワイヤレスアクセスネットワーク上のユニキャストサービスおよびＡＰ１からの開催地キャストコンテンツを受信することできることを意味する。同様に、アクセス端末ＡＴ２は、同じ周波数帯域の、ワイヤレスアクセスネットワークからのユニキャストサービスおよびローカル送信機ＡＰ２からの開催地キャストサービスを受信することができる、などである。従って、開催地キャストシステムで、開催地キャストサービスと、時分割方法のワイヤレスアクセスネットワークのスペクトルを共有することが可能である。
【００１９】
好ましくは、同一チャネル開催地キャスト送信は、既存のモバイル技法でのプラグアンドプレイである。１つの実施形態では、開催地キャスト送信は、ＯＦＤＭに基づき、専用パイロット信号を含む。例えば、ローカル送信機は、３ＧＰＰ２グループ（3rd Generation Partnership Project 2）、一般に知られるＰｌａｔｉｎｕｍ  ＢＣＭＣＳ、またはある他の基準に基づいたフォーマットによって公布されたＢＣＭＣＳ基準に従うことができる。ＯＦＤＭに基づいた受信機は、開催地キャスト送信を受信するために特別なハードウェアを要求しないような、携帯ハンドセットおよびコンピューティングデバイスで普通に見出せる。専用パイロット信号は、復調に役立ち、基地局ＢＴＳがマルチキャスト能力を制限したとしても、アクセス端末が開催地キャストコンテンツを受信することを可能にする。
【００２０】
いくつかの実施形態では、各ローカル送信機ＡＰは、基地局ＢＴＳとともにその開催地キャスト情報を登録する。登録は、順方向リンクチャネルのタイムスロットを予約することと、開催地キャスト信号を復調するために必要とされる制御／オーバーヘッド情報の提供することと、を含むことができる。ＥＶ−ＤＯアクセスネットワークでは、ＢＴＳは、データが開催地キャストのために予約したスロット上で送信されないように、順方向リンクチャネルのタイムスロットの一部を予約する（空にする）ことができる。ＢＴＳは、さらに、開催地キャストコンテンツを受信するためのタイムスロットおよび構成パラメータに関してアクセス端末ＡＴに通知するためにブロードキャストオーバヘッドメッセージ（ＢＯＭ）内で開催地キャストの有効性を知らせることができる。
【００２１】
ローカル送信機ＡＰは、マクロワイヤレスアクセスネットワークでの干渉を回避するために、順方向リンク信号の電力レベルに基づく電力レベルで開催地キャストを送信することができる。ローカル送信機ＡＰは、さらに、それらのコンテンツを暗号化、さもなければ覆い隠す（obscuring）することにより開催地キャストへのアクセスを制限することができる。いくつかの実施形態では、基地局ＢＴＳまたはローカル送信機ＡＰは、開催地キャストにアクセスするために必要とされる重要な材料または他の情報を供給することができる。アクセスを制限することによって、開催地キャストコンテンツを受信することに興味を持っているワイヤレスアクセスネットワーク加入者から収入ストリーム（revenue stream）を作成できる。
【００２２】
図２は、本発明の様々な実施形態に従う開催地キャストシステムの同一チャネルシグナリングの態様を示す。基地局ＢＴＳおよびローカル送信機ＡＰは、図１で説明されたようになり得る。
【００２３】
信号２１０は、基地局ＢＴＳから順方向リンクチャネルを表わし、信号２２０は、ローカル送信機ＡＰからの開催地キャスト送信を表わす。ＥＶ−ＤＯアクセスネットワークは、説明の目的に使用される。しかしながら、本発明が特定のタイプのアクセスネットワークに制限されず、従って、以下の議論が単なる実例であることを理解するだろう。特に、本発明の実施形態は、ＦＬＯ（フォワードリンクオンリ）信号およびモバイルテレビジョン配布システムを含む、様々な物理層技法で使用することができる。
【００２４】
順方向リンクチャネル２１０は、例示的なタイムスロット２３０および２４０に分割される。例えば、ＥＶ−ＤＯネットワークで、順方向リンク信号中の各タイムスロットは、時分割チャネルのグループを含む。これらは、パイロットチャネル、メディアアクセス制御（ＭＡＣ）チャネル、およびトラフィックチャネルを含む。示されるように、タイムスロット２３０は、第１のＷＡＮデータセグメントに続くパイロット信号とＭＡＣ情報、およびそれらに続く第２のＷＡＮデータセグメントを含む。ＷＡＮデータセグメントは、例えば、ワイヤレスアクセスネットワークからのユニキャストデータまたはマルチキャストデータを含むことができる。パイロット信号およびＭＡＣ情報は、チャネルを識別し、それらのデータがいつスケジュールされるかを決定するためにアクセス端末ＡＴによって使用することができる。
【００２５】
ローカル送信機ＡＰは、タイミング基準としてパイロット信号を使用する順方向リンクチャネルをモニタすることができる。開催地キャストスロットが到来するとき、ローカル送信機ＡＰは、順方向リンクチャネルと同じ周波数帯域で開催地キャストのためのデータ２５０ａ、２５０ｂを送信する。現在説明している実施形態では、基地局ＢＴＳは、あらかじめ開催地キャストのためのタイムスロットを供給し、ＷＡＮデータを含まないようにタイムスロットをブランク（空）にする。ローカル送信機ＡＰは、パイロットおよびＭＡＣ情報を使用して供給されたタイムスロットの到来を検出し、開催地キャストデータ２５０が空けられた間隔を占有するように送信する。
【００２６】
基地局ＢＴＳは、開催地キャストのためのタイムスロットを静的にまたは動的に割り当てることができる。例えば、長期間の割り当てで、基地局ＢＴＳは、開催地キャストによる使用のための順方向リンクチャネル中の所定のスロットを予約することができる。代替として、１つまたは複数の論理チャネルが割り当てられ、基地局ＢＴＳは、ローカル送信機ＡＰに論理チャネルマッピングを通信することができる。動的な割り当てで、ローカル送信機ＡＰは、論理チャネルマッピングに基づいてその送信タイミングを決定することができる。
【００２７】
動作において、開催地キャストは、ワイヤレスアクセスネットワークのサービスにシームレスに統合される。言い換えれば、アクセス端末の観点から、開催地キャストコンテンツのソースは、よりよいユーザ経験をプロモートするマクロアクセスネットワーク上の他のサービスと区別できない。
【００２８】
図３は、開催地キャストリソースを供給するための例示的なプロセスを示すフローチャート図である。開催地キャストサービスを始める前に、ローカル送信機ＡＰは、（１）順方向チャネルでリソースの割り当てを要求することができる。要求は、多くのＢＣＭＣＳフロー、各ＢＣＭＣＳフローのための多くの多重化、ＢＣＭＣＳフロー識別子（フローＩＤ）、アプリケーション情報および開催地キャストサービスのために供給する他のパラメータを指定することができる。例えば、ローカル送信機ＡＰは、イベントのテキスト、オーディオおよびビデオカバレージのような多数の開催地キャストストリームのためのエアリンクリソースを要求し、そのようなストリーム（例えば、ＨＴＭＬ、ＭＰ３、ＭＰＥＧ４など）各々のためのアプリケーションプロトコルを指定することができる。要求に応答して、マクロアクセスネットワークＡＮは、例えば、開催地キャスト送信に対応するためにブランクタイムスロットタイムの適切な数をスケジュールすることによって、エアリンクリソースを予約することができる。マクロＡＮがマルチキャストサービスをサポートする場合、フローＩＤは、マクロＡＮからのコンテンツフローと開催地／ローカルサービスとを区別するために使用することができる。例えば、マクロＡＮおよびローカルＡＰは、シグナリングを交換することによってフローＩＤの使用を調整することができる。
【００２９】
供給プロセスの次の部分では、ＡＮは、要求を認証することができる。認可は、フェムトセル標準に基づくことができ、ローカル送信機のアイデンティティおよび特権を確立することができる。ローカル送信機ＡＰとアクセスネットワークＡＮとの間の通信は、ＩＰＳｅｃ（インターネットプロトコルセキュリティ）トンネルまたは他の安全な手段によって保護することができる。ローカル送信機ＡＰが適切に認証される場合、アクセスネットワークＡＮは、（２）要請をアクノリッジし、開催地キャストのためのエアリンクリソースを予約するための処置を取ることができる。ＢＣＭＣＳオーバーヘッド周期（ＢＣＭＣＳＯｖｅｒｈｅａｄＰｅｒｉｏｄ）、フレーミングセットアップ、などのような構成パラメータは、アクノリッジメント共にローカル送信機に送ることができる。
【００３０】
マクロＡＮは、さらに開催地キャストサービスの有効性をアナウンスすることができる。例えば、ＥＶ−ＤＯネットワークでは、開催地キャストについての情報は、ブロードキャストオーバヘッドメッセージ中の制御チャネルを通じて送られることができる。ローカル送信機ＡＰは、（３）前もって開催地キャストのための制御情報を提供することができる。例えば、ローカル送信機ＡＰは、開催地コンテンツのトラフィックフローをスケジューリングするための情報およびＢＣＭＣＳ  フローＩＤと多重化のためのマッピングのような他の制御情報を提供することができる。さらに、ローカル送信機ＡＰは、開催地キャストサービスのより進んだマクロＡＮに、リードソロモンコーディングパラメータなどのような開催地キャスト送信の復調のために情報を送ることができる。
【００３１】
マクロＡＮは、（４）開催地キャスト制御情報の受信をアクノリッジし、予約されたリソースを使用して開催地キャストを識別し、アクセスすることができるように、そのオーバヘッドメッセージに制御情報を加えることができる。その後、ローカル送信機ＡＰは、予約されたエアリンクリソースを使用して、開催地キャストの送信を開始することができる。例えば、ローカル送信機は、多重化各々のために割り当てられたタイムスロット内の同一チャネル送信を始めることができる。開催地キャストサービスがもはや要求されない場合、ローカル送信機ＡＰは、ＡＮにそれ自体を認証（authenticate）し、（５）予約されたリソースのリリースを要求することができる。ＡＮは、マクロアクセスネットワーク内の他の使用のためにそれらを解放する（６）エアリンクリソースのリリースをアクノリッジすることができる。
【００３２】
同一チャネルのプラグアンドプレイ動作の望ましい状況を与えるために、ローカル送信機の実施形態は、マクロＤＯネットワークでの干渉を出来る限り最小にしながら開催地キャストサービスに適切なカバレージを供給するために動作することができる。例えば、開催地キャスト送信電力がマクロアクセスネットワークに関して適切に調節されない場合、検出されないこと（desensing）が生じる場合がある。開催地電力が高すぎる場合、隣接したキャリア内のマクロネットワーク送信の質に影響を及ぼし得る。開催地電力が低すぎる場合、マクロネットワークの隣接したキャリアからの電力は、開催地キャスト送信に隣接チャネル間干渉（ＡＣＩ）をもたらし得る。
【００３３】
さらに、いくつかの通信システムでは、アクセス端末受信機の自動利得制御（ＡＧＣ）動作ポイントは、順方向チャネル信号に基づいてセットすることができる。例えば、アクセス端末受信機のＡＧＣポイントは、基地局が開催地位置から遠い場合、異なるワイヤレスチャネルによって不正確になり得る。開催地キャストトラフィックの受信信号エネルギーが順方向リンク信号より著しく高い場合、データサンプルの飽和が生じるかもしれない。そのような飽和の影響は、ＱＡＭ−１６のようなより高次のＱＡＭ変調シンボル、およびより少ない程度の、ＱＰＳＫ（４相位相変調）シンボルに悪影響を及ぼすことになる。
【００３４】
最後に、開催地キャストの送信がマクロネットワーク上のデータ送信とともに調整されるので、タイミングは、問題になり得る。例えば、アクセス端末受信機でのＦＦＴ（高速フーリエ変換）ウィンドウは、マクロネットワークからのパイロット信号に基づいてセットすることができる。開催地キャストのローカライズされた性質を考えると、マクロ波形からの最も早く到来するパスが開催地キャスト波形より遅く到来することは大いにあり得え、その結果、開催地キャストデータ復調に対するパフォーマンス損失に帰着する。
【００３５】
図４は、開催地キャストシステム４００のさらなる実施形態のブロック図である。開催地キャストシステム４００は、図１−３に関連して説明された実施形態と同様であり、開催地キャストサービスの信頼性を増加させつつ、マクロネットワークでの干渉を出来る限り最小にするように変更されている。
【００３６】
例示的なアーキテクチャでは、ＷＡＮリピータは、開催地（点線）の内部のローカル送信機ＡＰと一緒に用いられる。ＷＡＮリピータは、ＢＴＳからの信号のための曲り管（bent-pipe）リピータとして機能し、ローカル送信機ＡＰから離れてあるいはローカル送信機ＡＰと一体化することができる。いくつかの実施形態では、ＷＡＮリピータは、フェムトセルとしてインプリメントされる。ローカル送信機ＡＰは、そのタイミング基準のためにリピータまたはＢＴＳのいずれかからの順方向リンク信号を使用することができ、例えば、ＷＡＮリピータの送信電力レベルに基づいて開催地キャスト信号のための電力レベルを確立することができる。
【００３７】
基準としてのＷＡＮリピータとともに、開催地キャストコンテンツおよびマクロパイロット／ＭＡＣバーストは、同様の範囲内での電力およびタイミングで送られる。アクセス端末ＡＴ受信機は、ローカル送信機ＡＰからの開催地キャストと同様の電力およびタイミングオフセットでマクロアクセスネットワークからの主要なパスを観察する。これは、飽和の可能性、タイミングオフセットおよび検出できない問題（desensing issues）を緩和する。基地局ＢＴＳのサイトの近くに開催地が位置するような場合、開催地送信機電力は、開催地キャストサービスが基地局によって圧倒されないように、多少増加し得る。
【００３８】
図５Ａは、ローカル送信機の１つの実施形態５００のブロック図である。ローカル送信機５００は、図１−３で説明と同様の方法で機能し、以前説明された開催地キャストシステム４００と共に使用されることができる。
【００３９】
プロセッサ５４０は、ローカル送信機５００の動作を制御する。プロセッサ５４０は、１つまたは複数のマイクロプロセッサ、マイクロコントローラ、フィールドプログラマブルゲートアレイ（ＦＰＧＡ）、特定用途向け集積回路（ＡＳＩＣ）、結合プログラム可能論理回路（ＣＰＬＤ）、またはプログラマブル・ロジック・エレメントを含む。
【００４０】
示されるように、プロセッサ５４０は、記憶装置５４５と結合される。記憶装置５４５は、プロセッサ５４０にアクセス可能なデータおよびプログラム命令を格納するために読み出し専用メモリ（ＲＯＭ）および／またはランダムアクセスメモリ（ＲＡＭ）を含むことができる。いくつかの実施形態では、記憶装置５４５は、光学および磁気ディスクドライブ、フラッシュメモリ、などのような他のコンピュータ可読媒体を含むことができる。これら、コンピュータ可読媒体は、ローカル送信機５００の動作を実行するための命令で符号化されることができる。
【００４１】
プロセッサ５４０は、さらにデータインターフェース５５０および制御インターフェース５６０と結合することができる。データインターフェース５５０は、ローカル送信機５００に対する外部の１つまたは複数のソースから開催地キャストコンテンツを受信するように構成することができる。開催地キャストコンテンツは、オーディオ、ビデオおよびテキストベースの情報、またはこれらの任意の組み合わせを含むことができる。いくつかの実施形態では、開催地キャストコンテンツは、１つまたは複数のＭＰＥＧ２（Motion Picture Experts Group）、ＭＰＥＧ４、または開催地キャスト送信のデータレートで見るために最適化された類似のストリームを含む。
【００４２】
プロセッサ２４０は、制御インターフェース５６０を介してマクロアクセスネットワークと通信することができる。制御インターフェース５６０は、例えば、ＩＰＳｅｃトンネルまたは他の暗号化された接続を通じてアクセスネットワークとの安全な通信をサポートすることができる。いくつかの実施形態では、制御インターフェース５６０は、削除され、送信機５３０がローカル送信機５００とマクロアクセスネットワークとの間の通信を提供する。
【００４３】
ローカル送信機５００が起動した場合、プロセッサ５４０は、図３に説明されたのと同様のアクセスネットワークで供給プロセスを開始することができる。これは、例えば、制御インターフェース５６０を介してマクロネットワークへのリソース予約要求および開催地キャスト制御情報を送ることを含むことができる。リソース予約要求および制御情報は、データインターフェース５５０で受信したコンテンツに基づくことができる。例えば、開催地キャストが３つのストリームを含む場合、プロセッサ５４０は、総計した帯域幅要求に基づいてエアリンクリソースを要求することができる。同様に、プロセッサ５４０は、フローＩＤの適切な数を予約し、開催地キャストコンテンツを識別し、復調し、処理するために制御およびアプリケーション情報を提供することができる。
【００４４】
動作において、ローカル送信機５００は、アンテナ５１０ａで順方向リンク信号を受信する。個別の送信５１０ｂおよび受信５１０ａアンテナが示されるが、これは、ローカル送信機の要求ではない。順方向チャネル信号は、開催地キャストシステム１００の基地局ＢＴＳのような基地局から直接受信することができる、または、開催地キャストシステム４００のＷＡＮリピータのようなＷＡＮリピータから受信することができる。アンテナ５１０ａは、受信順方向リンク信号を増幅し、処理するためのトランシーバ５３０にそれを搬送する、低雑音増幅器５２０と結合される。
【００４５】
トランシーバ５３０は、開催地キャスト送信のためのタイミング基準を検出する受信信号を復調し復号することができる。ＥＶ−ＤＯネットワークで、これは、多重化のタイムスロットのためのパイロット信号およびＭＡＣ情報を検出することを含むことができる。現在説明される実施形態では、同期モジュール５３５は、トランシーバ５３０と結合され、プロセッサ５４０にその出力を搬送する。同期モジュール５３５は、マクロネットワークパイロットからのクロック信号を生成することができる。クロック信号に基づいて、プロセッサ５４０は、予約されたタイムスロットの到来と同一空間を占めるように順方向チャネル周波数上の開催地キャストの送信をスケジュールすることができる。代替または追加として、プロセッサ５４０は、外部タイミング基準に基づいて開催地キャストをスケジュールすることができる。例えば、プロセッサ５４０は、制御インターフェース５６０を介してマクロネットワークタイミング情報を受信するように構成することができる。
【００４６】
送信パスにおいては、プロセッサ５４０は、トランシーバ５３０に開催地キャストコンテンツを搬送する。トランシーバ５３０は、コーディング、変調、および関連する動作を実行する。１つの実施形態では、変調は、ＯＦＤＭに基づき、Ｐｌａｔｉｎｕｍ  ＢＣＭＣＳまたは関連する標準と一致し得る。トランシーバ５３０は、アクセス端末受信機でコヒーレント復調を容易にするように送信信号に専用パイロットを挿入し得る。必須ではないが、Ｐｌａｔｉｎｕｍ  ＢＣＭＣＳのような業界基準の厳守は、開催地キャストにプラグアンドプレイアクセスを容認し、アクセス端末装置の多くのインストールされた基礎（large installed base）に影響を与える。
【００４７】
トランシーバ５３０は、ＲＦ増幅器５７０に調整された開催地にキャストされた信号を搬送する。ＲＦ増幅器５７０は、開催地キャスト信号の電力レベルを調節し、送信するアンテナ５１０ｂに増幅された信号を結合するように構成することができる。いくつかの実施形態では、プロセッサ５４０は、受信信号強度に基づいてＲＦ増幅器５７０の電力レベルを調節する。以前に議論されたように、送信信号強度は、開催地内に位置するアクセス端末によって受信されることになる開催地キャストを容認しながら、マクロネットワーク上の隣接チャネルとの干渉を回避するべきである。順方向チャネル信号の信号強度は、開催地キャスト送信電力を調節するための１つの基準を提供することができる。
【００４８】
図５Ｂは、ローカル送信機６００のさらなる実施形態のブロック図である。ローカル送信機６００は、ローカル送信機５００に似ているが、一体化されたＷＡＮリピータ５８０を加えている。ローカル送信機の異なる実施形態に共通のエレメントの説明は、明確性のために省略される。
【００４９】
ＷＡＮリピータ５８０は、マクロアクセスネットワークからの順方向リンク信号を検出し複製（replicate）するように構成される。示されるように、ＷＡＮリピータ５８０は、順方向リンク信号に基づいてプロセッサ５４０へのタイミング基準を提供することができる。プロセッサ５４０は、ＷＡＮリピータ５８０からのタイミング基準に基づいて開催地キャスト送信のためのデータをスケジュールするように構成することができる。例えば、ＷＡＮリピータ５８０は、プロセッサ５４０にパイロット信号およびＭＡＣ情報を供給し、該順方向リンクでタイムスロットを識別する。
【００５０】
さらに、ＷＡＮリピータ５８０は、開催地キャスト送信電力を制御するための基準信号を生成することができる。その基準は、マクロネットワークで起こり得る干渉を緩和するようにＲＦ増幅器５７０の動作ポイントをセットするために使用することができる。電力とタイミング基準を使用すると、ローカル送信機６００は、シームレスな方法でそのカバレージエリア内のアクセス端末に同一チャネルの開催地キャストサービスを提供することができ、アクセス端末が開催地キャストプログラミングを受信するとともに同じ周波数帯域でマクロネットワークからの他のサービスも受信することを可能にする。
【００５１】
図６は、開催地キャストシステム７００のさらなる実施形態を描く。開催地キャストシステム７００は、ＭｅｄｉａＦＬＯ（登録商標）メディア配布システム（ＭＤＳ）を使用するために適している以外開催地キャストシステム４００と同様である。
【００５２】
ＭｅｄｉａＦＬＯは、多数のアクセス端末にマルチキャストコンテンツを配信するために最適化されるフォワードリンクオンリ（ＦＬＯ）ネットワークである。ＭｅｄｉａＦＬＯは、ＥＶ−ＤＯ、ＵＭＴＳ（ユニバーサルモバイルテレコミュニケーションシステム）、Ｇｏｌｄ／Ｐｌａｔｉｎｕｍ  ＢＣＭＣＳ、およびＦＬＯ技法上で動作することができ、セルラネットワークの逆方向リンクを利用するインタラクティブアプリケーションをサポートすることができる。
【００５３】
示されるように、地上波送信機ＭＦＬＯ（terrestrial transmitter MFLO）は、そのカバレージエリアの端末ＡＴに順方向リンクサービスを提供する。ローカル送信機ＡＰおよび一体化されたＷＡＮリピータは、図２および図４で説明されと同様の方法でＭｅｄｉａＦＬＯコンテンツと同一チャネルの開催地キャストサービスを提供する。本質的には、ＯＦＤＭ時間およびサブキャリアスロットの一部は、地上波送信機のブロードキャスト波形から消して空けておくことができる。空けられたスロットは、ローカル送信機ＡＰからの送信によって満たすことができる。地上波送信機ＭＦＬＯおよびローカル送信機ＡＰの両方は、ＭｅｄｉａＦＬＯ波形を利用することができる。
【００５４】
図７は、ＭＤＳシステムのための例示的なデータシンボルパーティションを示す。従来のＭＤＳシステム内では、ＯＦＤＭシンボルは、ワイドエリア送信とローカルエリア送信との間で分割される。ワイドエリア送信は、例えば、大きなカバレージエリアの全体にわたって配信される全国的なプログラミングを含むことができるのに対して、ローカルプログラミングは、特定の送信機ＭＦＬＯまたは少数の送信機に特有であり得る。
【００５５】
開催地キャストシステム７００は、ローカルエリア使用法に割り当てられた１つまたは複数のタイムスロットで送信することができる。説明の目的のために、開催地キャストタイムスロットは、ローカルエリアシンボルの論理パーティションとして示される。しかしながら、ＭｅｄｉａＦＬＯシステムがローカルエリアシンボルと開催地エリアシンボルとを区別する必要もないし、本発明の実施形態に適合する任意の特定の方法で、エアリンクリソースを割り当てる必要もない。
【００５６】
開催地キャストシステム４００と同様に、ローカル送信機ＡＰは、ＭＤＳシステム上のリソースを予約し、開催地キャストサービスが使用できることを通知するために使用される制御情報を提供する。例えば、ローカル送信機ＡＰは、地上波送信機ＭＦＬＯの順方向リンク送信でのエアリンクリソースの予約を要求することができる。その後、地上波送信機ＭＦＬＯは、基地局ＢＴＳからのＢＯＭメッセージと同様の方法で開催地キャストに関する情報を配布することができる。
【００５７】
図８は、ＭｅｄｉａＦＬＯ配布システムで使用することができるような例示的なスーパーフレームを示す。ワイドエリア送信の存在下で開催地キャストサービスを容易にするために、開催地キャストの位置および特徴を識別する、オーバーヘッド情報シンボルを各スーパーフレームに加えることができる。１つのアプローチは、ローカルエリアマルチキャストのために現在提供されているデータおよび制御信号を使用することである。例えば、開催地キャスト制御情報は、従来のローカルエリアＯＩＳ（オーバーヘッド情報シンボル）シンボルとともに包含され、開催地キャストデータは、データフレームのローカルエリアの一部に加えられ得る。このアプローチで、従来のローカルエリアシンボルは、従来のデバイスが同一チャネルＦＬＯに基づく開催地キャストサービスをシームレスに受信することを可能にする開催地キャストサービスとともに利用することができる。
【００５８】
代替のアプローチとして、開催地キャストサービスは、開催地キャストサービスをサポートするために加えられることができる。例えば、新規のオーバーヘッド情報は、ローカルＯＩＳの後のスーパーフレームに挿入される、または新規のシンボルは、特別に指定された開催地送信エリアに加えられることができる。開催地キャスト識別子およびＯＩＳの有効性とともに、ユーザは、現在利用可能な標準ＭｅｄｉａＦＬＯシグナリングおよび処理メカニズムを介して開催地キャストサービスのために特別に指定されたチャネルを受信することができる。両方の場合で、ＭＤＳシステムは、開催地キャストサービスによる使用のために多くのブランクタイムスロットを予約しておき、それらのタイムスロットで開催地キャスト利用可能性をアナウンスすることができる。
【００５９】
エアリンクリソースが開催地キャストのためのエアリンクリソースに供給された場合、ローカル送信機ＡＰは、そのタイムスロットに対応するローカルエリアパイロットシンボルを検出し、空けられたタイムスロット上のＦＬＯベースの開催地キャストサービスを送信することができる。データシンボルスケーリング、タイミング配列、および検出不能で起き得る問題を緩和するために、地上波ＭｅｄｉａＦＬＯ信号を一体化されたＷＡＮリピータから再送する（repeat）ことができる。このように、ローカル送信機ＡＰからの同一チャネル開催地キャストは、他のＭｅｄｉａＦＬＯサービスに統合されるようになる。
【００６０】
図９は、本発明に従う開催地キャストプロセス９００の１つの実施形態におけるフローチャートである。プロセス９００は、ここで説明されるようなローカル送信機またはローカル送信機とＷＡＮリピータとの組み合わせによってインプリメントされることができる。
【００６１】
ブロック９１０で、ローカル送信機は、ワイドエリアネットワーク上のエアリンクリソースを予約する。ワイドエリアネットワークは、同一チャネル開催地キャスト送信が望まれる、ＥＶ−ＤＯネットワーク、ＭｅｄｉａＦＬＯネットワーク、または他のマクロアクセスネットワークであることができる。マクロネットワークは、ローカル送信機にタイムスロットを空にすること、ないし未使用の帯域幅を割り当てることによって開催地キャストのためのリソースを供給することができる。
【００６２】
ローカル送信機は、ブロック９２０で説明されるようなマクロネットワークからの順方向リンク信号を受信することができる。順方向リンク信号は、基地局、地上波送信機、または他のソースから直接受信すること、または、リピータまたは他の信号を複製するデバイスから受信することができる。ブロック９３０で、ソースにかかわらず、ローカル送信機は、順方向リンク信号から来たタイミング情報をモニタし、順方向リンク信号に基づいて開催地キャストのための送信タイミングを決定する。
【００６３】
ブロック９４０で、ローカル送信機は、順方向リンク信号とそのタイミングおよび電力を同期させる。これは、マクロネットワークの隣接チャネルとの干渉を回避するように電力レベルを設定するとともに、パイロット信号またはマクロネットワークからの他の基準での開催地キャスト送信をパイロット信号あるいはマクロのネットワークからの他の基準でタイムアライン（time-aligning）することを含むことができる。いくつかの実施形態では、マクロネットワークシグナリングでのタイミングおよび電力問題を緩和するために、一体化されたＷＡＮリピータの出力とその送信を同期する。
【００６４】
９５０で、開催地キャストのための時刻が到来するとき、ローカル送信機は、順方向リンク信号と同じ周波数帯域で開催地キャストサービスを提供する。ＯＦＤＭに基づくシグナリングがＥＶ−ＤＯネットワークおよびＭｅｄｉａＦＬＯ配布システムで使用されるように開催地キャスト波形は、ＯＦＤＭに基づくことができる。しかしながら、これは、開催地キャストシステムの要求ではなく、ローカル送信機は、専用パイロット信号での他のある変調を使用することができる。
【００６５】
その動作の間に、開催地キャストシステムは、強化されたユーザ経験を提供するためにマクロネットワークと協同する。開催地キャストは、ローカライズされたエリア内のマクロネットワークを補足するが、その全面的な動作を妨げることはない。マクロネットワークは、その有効性と特徴を通知することによって開催地キャストへのアクセスを容易にすることができる。ブロック９６０で、開催地キャストが完了する場合、ローカル送信機は、マクロネットワークにエアリンクリソースをリリースする。
【００６６】
本明細書で開示される態様に関連して説明される様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラミング可能なロジックデバイス、ディスクリートのゲートもしくはトランジスタロジック、ディスクリートのハードウェアコンポーネント、あるいは本明細書で説明される機能を実行するように設計された以上の任意の組み合わせを使用して、インプリメントされる、または実行されることができる。汎用プロセッサは、マイクロプロセッサであることができるが、代替として、プロセッサは、任意の従来のプロセッサ、コントローラ、マイクロコントローラ、またはステートマシンであってもよい。また、プロセッサは、コンピューティングデバイスの組み合わせとして、例えば、ＤＳＰとマイクロプロセッサの組み合わせ、複数のマイクロプロセッサ、ＤＳＰコアと連携する１つまたは複数のマイクロプロセッサ、または他の任意のそのような構成として実施されることもできる。
【００６７】
ここに開示された実施形態に関連して記述された方法、プロセス、またはアルゴリズムは、プログラム命令を実行するプロセッサのようなハードウェア、またはハードウェアとソフトウェアとの組み合わせで直接具体化され得る。
【００６８】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の任意の形態の記憶媒体の中に存在することができる。例示的な記憶媒体は、プロセッサが、その記憶媒体から情報を読み取ること、およびその記憶媒体に情報を書き込むことができるように、プロセッサに結合されることができる。代替として、記憶媒体は、プロセッサと一体化していてもよい。さらに、様々な方法は、実施形態中で示された順序で実行される、または修正したステップの順序を使用して実行される。追加として、１つまたは複数のプロセスまたは方法のステップは、省略され、１つまたは複数のプロセスまたは方法のステップは、方法およびプロセスに追加され得る。追加のステップ、ブロック、またはアクションは、存在するエレメントの最初、終わり、または間に追加され得る。
【００６９】
開示された実施形態の上記説明は、任意の当業者が開示を行なうまたは使用することができるように提供される。これらの実施形態への様々な修正は、当業者に対して容易に明白となることができ、ここに定義された一般の原理は、本開示の精神または範囲から外れない他の実施形態で適用され得る。したがって、本開示は、ここに示された実施形態に制限されるように意図されず、ここに開示された原理および新規な特徴と一致する最も広い範囲を許容することになる。
【図１】
0005389931.tif 000002
【図２】
0005389931.tif 000003
【図３】
0005389931.tif 000004
【図４】
0005389931.tif 000005
【図５Ａ】
0005389931.tif 000006
【図５Ｂ】
0005389931.tif 000007
【図６】
0005389931.tif 000008
【図７】
0005389931.tif 000009
【図８】
0005389931.tif 000010
【図９】
0005389931.tif 000011